(57)【要約】  ワイヤレス通信デバイスのためのシステム情報を取得するためのデバイス、システム、製造物品、および方法が説明される。いくつかの実施形態によれば、ワイヤレス通信デバイスによってサポートされるサブスクリプションがページング再編成モードに入る。ワイヤレス通信デバイスは、無線周波数（ＲＦ）リソースを使用して第１のサブスクリプションによってシステム情報の一部分を獲得する。このサブスクリプションは、ワイヤレス通信デバイスのページングモードを変更する。このサブスクリプションは、システム情報の一部分を獲得した後、システム情報のすべてを獲得する前に、ＲＦリソースを解放する。他の態様、実施形態、および特徴も特許請求され、説明される。
2016533118.tif 000002
【特許請求の範囲】
【請求項１】
ワイヤレス通信デバイスのためのシステム情報を取得するための方法であって、
セル再選択および音声呼を終了することのうち少なくとも１つの後、ページング再編成モードに入ることと、
無線周波数（ＲＦ）リソースを使用して第１のサブスクリプションによってシステム情報の一部分を獲得することと、
前記ワイヤレス通信デバイスのページングモードを変更することと、
前記システム情報の前記一部分を獲得した後、前記システム情報のすべてを獲得する前に、前記ＲＦリソースを解放することと
を備える方法。
【請求項２】
前記第１のサブスクリプションが、前記ページング再編成モード中に前記ＲＦリソースを独占的に使用する、請求項１に記載の方法。
【請求項３】
前記第１のサブスクリプションが、前記ページング再編成モード中にすべてのページングブロックを読み取り、復号する、請求項１に記載の方法。
【請求項４】
前記ページング再編成モードが非間欠受信（ｎｏｎ−ＤＲＸ）モードである、請求項１に記載の方法。
【請求項５】
前記ＲＦリソースが、前記ワイヤレス通信デバイスにとって利用可能な単一のＲＦリソースである、請求項１に記載の方法。
【請求項６】
前記システム情報の一部分がシステム情報タイプ３（ＳＩ３）またはシステム情報タイプ４（ＳＩ４）を含む、請求項１に記載の方法。
【請求項７】
前記システム情報の一部分が、セル選択パラメータ、ランダムアクセスチャネル（ＲＡＣＨ）パラメータ、制御チャネルパラメータ、セル識別子、ロケーションエリア識別子、ページングブロック情報、およびセルブロック情報のうち少なくとも１つを含む、請求項１に記載の方法。
【請求項８】
前記ワイヤレス通信デバイスが複数のサブスクリプションを含む、請求項１に記載の方法。
【請求項９】
前記ＲＦリソースを解放することが、第２のサブスクリプションによって使用するために前記ＲＦリソースを解放することを備える、請求項８に記載の方法。
【請求項１０】
前記ワイヤレス通信デバイスが属するページンググループを決定することをさらに備える、請求項１に記載の方法。
【請求項１１】
前記ワイヤレス通信デバイスのページンググループと関連付けられたページングブロックを読み取り、復号することと、
前記ワイヤレス通信デバイスのページンググループと関連付けられていないページングブロックを読み取り、復号することを回避することと
をさらに備える、請求項１０に記載の方法。
【請求項１２】
前記ページングモードを変更することが、
前記ワイヤレス通信デバイスと関連付けられたページングブロックを介してページングモード指示を受信することと、
前記ページングモード指示に基づいて前記ページングモードを変更することと
を備える、請求項１に記載の方法。
【請求項１３】
前記ページングモード指示が、即時割当てメッセージまたはページングメッセージのうち少なくとも１つを介して受信される、請求項１２に記載の方法。
【請求項１４】
前記ＲＦリソースが利用可能であるとき他のシステム情報を獲得することをさらに備える、請求項１に記載の方法。
【請求項１５】
前記システム情報が、ページングチャネル（ＰＣＨ）およびブロードキャスト制御チャネル（ＢＣＣＨ）のうち少なくとも１つから獲得される、請求項１に記載の方法。
【請求項１６】
ワイヤレス通信デバイスのためのシステム情報を取得するための装置であって、
プロセッサと、
前記プロセッサと電子通信しているメモリと、
前記メモリに記憶された命令とを備え、前記命令が、
セル再選択および音声呼を終了することのうち少なくとも１つの後、ページング再編成モードに入り、
無線周波数（ＲＦ）リソースを使用して第１のサブスクリプションによってシステム情報の一部分を獲得し、
前記ワイヤレス通信デバイスのページングモードを変更し、
前記システム情報の前記一部分を獲得した後、前記システム情報のすべてを獲得する前に、前記ＲＦリソースを解放する
ように前記プロセッサによって実行可能である、装置。
【請求項１７】
前記第１のサブスクリプションが、前記ページング再編成モード中に前記ＲＦリソースを独占的に使用する、請求項１６に記載の装置。
【請求項１８】
前記命令が、前記ページング再編成モード中にすべてのページングブロックを読み取り、復号するように実行可能である、請求項１６に記載の装置。
【請求項１９】
前記ページング再編成モードが非間欠受信（ｎｏｎ−ＤＲＸ）モードである、請求項１６に記載の装置。
【請求項２０】
前記ＲＦリソースが、前記ワイヤレス通信デバイスにとって利用可能な単一のＲＦリソースである、請求項１６に記載の装置。
【請求項２１】
前記システム情報の一部分がシステム情報タイプ３（ＳＩ３）またはシステム情報タイプ４（ＳＩ４）を含む、請求項１６に記載の装置。
【請求項２２】
前記システム情報の一部分が、セル選択パラメータ、ランダムアクセスチャネル（ＲＡＣＨ）パラメータ、制御チャネルパラメータ、セル識別子、ロケーションエリア識別子、ページングブロック情報、およびセルブロック情報のうち少なくとも１つを含む、請求項１６に記載の装置。
【請求項２３】
前記ワイヤレス通信デバイスが複数のサブスクリプションを含む、請求項１６に記載の装置。
【請求項２４】
前記ＲＦリソースを解放するように実行可能である前記命令が、第２のサブスクリプションによって使用するために前記ＲＦリソースを解放するように実行可能である命令を備える、請求項２３に記載の装置。
【請求項２５】
前記ワイヤレス通信デバイスが属するページンググループを決定するように実行可能である命令をさらに備える、請求項１６に記載の装置。
【請求項２６】
前記ワイヤレス通信デバイスのページンググループと関連付けられたページングブロックを読み取り、復号し、
前記ワイヤレス通信デバイスのページンググループと関連付けられていないページングブロックを読み取り、復号することを回避する
ように実行可能である命令をさらに備える、請求項１６に記載の装置。
【請求項２７】
前記ページングモードを変更するように実行可能である前記命令が、
前記ワイヤレス通信デバイスと関連付けられたページングブロックを介してページングモード指示を受信し、
前記ページングモード指示に基づいて前記ページングモードを変更する
ように実行可能である命令を備える、請求項１６に記載の装置。
【請求項２８】
前記ページングモード指示が、即時割当てメッセージまたはページングメッセージのうち少なくとも１つを介して受信される、請求項２７に記載の装置。
【請求項２９】
前記ＲＦリソースが利用可能であるとき他のシステム情報を獲得するように実行可能である命令をさらに備える、請求項１６に記載の装置。
【請求項３０】
前記システム情報が、ページングチャネル（ＰＣＨ）およびブロードキャスト制御チャネル（ＢＣＣＨ）のうち少なくとも１つから獲得される、請求項１６に記載の装置。
【請求項３１】
命令を有する非一時的コンピュータ可読媒体を備える、ワイヤレス通信デバイスのためのシステム情報を取得するためのコンピュータプログラム製品であって、前記命令が、
第１のサブスクリプションに、セル再選択および音声呼を終了することのうち少なくとも１つの後、ページング再編成モードに入らせるためのコードと、
前記第１のサブスクリプションに、無線周波数（ＲＦ）リソースを使用して第１のサブスクリプションによってシステム情報の一部分を獲得させるためのコードと、
前記第１のサブスクリプションに、前記ワイヤレス通信デバイスのページングモードを変更させるためのコードと、
前記第１のサブスクリプションに、前記システム情報の前記一部分を獲得した後、前記システム情報のすべてを獲得する前に、前記ＲＦリソースを解放させるためのコードと
を備える、コンピュータプログラム製品。
【請求項３２】
前記第１のサブスクリプションが、前記ページング再編成モード中に前記ＲＦリソースを独占的に使用する、請求項３１に記載のコンピュータプログラム製品。
【請求項３３】
前記命令が、前記第１のサブスクリプションに、前記ページング再編成モード中にすべてのページングブロックを読み取らせ、復号させるためのコードをさらに備える、請求項３１に記載のコンピュータプログラム製品。
【請求項３４】
前記システム情報の一部分が、システム情報タイプ３（ＳＩ３）およびシステム情報タイプ４（ＳＩ４）のうち少なくとも１つを含む、請求項３１に記載のコンピュータプログラム製品。
【請求項３５】
前記ワイヤレス通信デバイスが複数のサブスクリプションを含む、請求項３１に記載のコンピュータプログラム製品。
【請求項３６】
前記第１のサブスクリプションに、前記ワイヤレス通信デバイスが属するページンググループを決定させるためのコードをさらに備える、請求項３１に記載のコンピュータプログラム製品。
【請求項３７】
前記第１のサブスクリプションに、前記ワイヤレス通信デバイスのページンググループと関連付けられたページングブロックを読み取らせ、復号させるためのコードと、
前記第１のサブスクリプションに、前記ワイヤレス通信デバイスのページンググループと関連付けられていないページングブロックを読み取り、復号することを回避させるためのコードと
をさらに備える、請求項３６に記載のコンピュータプログラム製品。
【請求項３８】
前記第１のサブスクリプションに、前記ページングモードを変更させるための前記コードが、
前記第１のサブスクリプションに、前記ワイヤレス通信デバイスと関連付けられたページングブロックを介してページングモード指示を受信させるためのコードと、
前記第１のサブスクリプションに、前記ページングモード指示に基づいて前記ページングモードを変更させるためのコードと
を備える、請求項３１に記載のコンピュータプログラム製品。
【請求項３９】
前記第１のサブスクリプションに、前記ＲＦリソースが利用可能であるとき他のシステム情報を獲得させるためのコードをさらに備える、請求項３１に記載のコンピュータプログラム製品。
【発明の詳細な説明】
【技術分野】
【０００１】
[0001]以下で論じられる技術は、全般に通信システムに関し、より具体的には、ワイヤレス通信デバイスにおいてシステム情報を取得するためのシステムおよび方法に関する。
【背景技術】
【０００２】
[0002]ワイヤレス通信システムは、世界中の多くの人々が通信するようになるための重要な手段になっている。ワイヤレス通信システムは、多数のモバイルデバイスに対する通信を提供することができ、モバイルデバイスの各々は基地局によってサービスされ得る。
【０００３】
[0003]ワイヤレス通信システム内で、基地局は、音声データ、ユーザデータ、および／または制御データのようなデータを、ワイヤレスネットワーク中に存在するモバイルデバイスに定期的に送信することができる。いくつかの例では、モバイルデバイスは、場合によっては同じワイヤレス通信システム内の複数の基地局から、データの複数のセットを受信することがある。たとえば、モバイルデバイスは、複数のサブスクリプションを同時に保持することがある。モバイルデバイスが複数のサブスクリプションを保持する方法を改善することによって、利益が実現され得る。
【発明の概要】
【０００４】
[0004]以下では、論じられる技術の基本的な理解を与えるために、本開示のいくつかの態様を要約する。この概要は、本開示のすべての企図された特徴の包括的な概観ではなく、本開示のすべての態様の主要または重要な要素を識別することも、本開示のいずれかまたはすべての態様の範囲を定めることも意図されない。その唯一の目的は、後で提示されるより詳細な説明の導入として、本開示の１つまたは複数の態様のいくつかの概念を要約の形で提示することである。
【０００５】
[0005]ワイヤレス通信デバイスのためのシステム情報を取得するための方法が説明される。この方法は、セル再選択および音声呼を終了することのうち少なくとも１つの後、ページング再編成モードに入ることを含む。この方法は、無線周波数（ＲＦ）リソースを使用して第１のサブスクリプションによってシステム情報の一部分を獲得することも含む。この方法は、ワイヤレス通信デバイスのページングモードを変更することも含む。この方法は、システム情報の一部分を獲得した後、システム情報のすべてを獲得する前に、ＲＦリソースを解放することも含む。
【０００６】
[0006]第１のサブスクリプションは、ページング再編成モード中にＲＦリソースを独占的に使用し得る。第１のサブスクリプションは、ページング再編成モード中にすべてのページングブロックを読み取り、復号し得る。ページング再編成モードは非間欠受信（ｎｏｎ−ＤＲＸ）モードであってよい。
【０００７】
[0007]システム情報の一部分は、システム情報タイプ３（ＳＩ３）またはシステム情報タイプ４（ＳＩ４）を含み得る。システム情報の一部分は、セル選択パラメータ、ランダムアクセスチャネル（ＲＡＣＨ）パラメータ、制御チャネルパラメータ、セル識別子、ロケーションエリア識別子、ページングブロック情報、およびセルブロック情報のうち少なくとも１つを含み得る。
【０００８】
[0008]ワイヤレス通信デバイスは、複数のサブスクリプションを含み得る。ＲＦリソースを解放することは、第２のサブスクリプションによって使用するためにＲＦリソースを解放することを備え得る。
【０００９】
[0009]方法は、ワイヤレス通信デバイスが属するページンググループを決定することも含み得る。方法は、ワイヤレス通信デバイスのページンググループと関連付けられたページングブロックを読み取り、復号することと、ワイヤレス通信デバイスのページンググループと関連付けられていないページングブロックを読み取り、復号することを回避することも含み得る。
【００１０】
[0010]ページングモードを変更することは、ワイヤレス通信デバイスと関連付けられたページングブロックを介してページングモード指示を受信することと、このページングモード指示に基づいてページングモードを変更することも含み得る。ページングモード指示は、即時割当てメッセージまたはページングメッセージのうち少なくとも１つを介して受信され得る。
【００１１】
[0011]方法は、ＲＦリソースが利用可能であるとき他のシステム情報を獲得することも含み得る。システム情報は、ページングチャネル（ＰＣＨ）およびブロードキャスト制御チャネル（ＢＣＣＨ）のうち少なくとも１つから獲得され得る。
【００１２】
[0012]ワイヤレス通信デバイスのためのシステム情報を取得するための装置も説明される。この装置は、プロセッサと、このプロセッサと電子通信しているメモリとを含む。この装置は、メモリに記憶された命令も含む。命令は、セル再選択および音声呼を終了することのうち少なくとも１つの後、ページング再編成モードに入るように実行可能である。命令はまた、無線周波数（ＲＦ）リソースを使用して第１のサブスクリプションによってシステム情報の一部分を獲得するように実行可能である。命令はまた、ワイヤレス通信デバイスのページングモードを変更させるように実行可能である。命令はまた、システム情報の一部分を獲得した後、システム情報のすべてを獲得する前に、ＲＦリソースを解放するように実行可能である。
【００１３】
[0013]ワイヤレス通信デバイスのためのシステム情報を取得するためのコンピュータプログラム製品も説明される。コンピュータプログラム製品は、命令を有する非一時的コンピュータ可読媒体を含む。命令は、第１のサブスクリプションに、セル再選択および音声呼を終了することのうち少なくとも１つの後、ページング再編成モードに入らせるためのコードを含む。命令は、第１のサブスクリプションに、無線周波数（ＲＦ）リソースを使用して第１のサブスクリプションによってシステム情報の一部分を獲得させるためのコードも含む。命令は、第１のサブスクリプションに、ワイヤレス通信デバイスのページングモードを変更させるためのコードも含む。この命令は、第１のサブスクリプションに、システム情報の一部分を獲得した後、システム情報のすべてを獲得する前に、ＲＦリソースを解放させるためのコードも含む。
【００１４】
[0014]ワイヤレス通信デバイスのためのシステム情報を取得するための装置も説明される。この装置は、セル再選択および音声呼を終了することのうち少なくとも１つの後、ページング再編成モードに入るための手段を含む。この装置は、無線周波数（ＲＦ）リソースを使用してシステム情報の一部分を獲得するための手段も含む。この装置は、ワイヤレス通信デバイスのページングモードを変更するための手段も含む。この装置は、システム情報の一部分を獲得した後、システム情報のすべてを獲得する前に、ＲＦリソースを解放するための手段も含む。
【００１５】
[0015]さらにまた他の実施形態は、ワイヤレス通信デバイスのためのシステム情報を取得するための装置を含むことができる。そのような装置は、セル再選択および音声呼を終了することのうち少なくとも１つの後、ページング再編成モードに入るための手段と、無線周波数（ＲＦ）リソースを使用してシステム情報の一部分を獲得するための手段と、ワイヤレス通信デバイスのページングモードを変更するための手段と、システム情報の一部分を獲得した後、システム情報のすべてを獲得する前に、ＲＦリソースを解放するための手段とを含むことができる。これらの手段は、以下の本明細書の各部分で説明され、添付の図面で見られる。以下で論じられるコンポーネントによって実行される機能は、本出願で論じられる手段を実行することが可能な特徴を表す。
【００１６】
[0016]他の手段タイプの実施形態は、追加の特徴を有することができる。たとえば、システム情報の一部分を獲得するための手段は、ページング再編成モード中にＲＦリソースを独占的に使用することができる。別の例として、システム情報の一部分を獲得するための手段は、ページング再編成モード中にすべてのページングブロックを読み取り、復号することができる。システム情報の一部分は、システム情報タイプ３（ＳＩ３）およびシステム情報タイプ４（ＳＩ４）のうち少なくとも１つを含むことができる。いくつかの実施形態では、ワイヤレス通信デバイスは、複数のサブスクリプションを含むことができる。別の特徴例として、ページンググループを決定するための手段は、ワイヤレス通信デバイスが属するページンググループを決定するように構成され得る。手段タイプの実施形態は、ワイヤレス通信デバイスのページンググループと関連付けられたページングブロックを読み取り、復号するための手段と、ワイヤレス通信デバイスのページンググループと関連付けられていないページングブロックを読み取り、復号することを回避するための手段も含むことができる。また、ページングモードを変更するための手段は、ワイヤレス通信デバイスと関連付けられたページングブロックを介してページングモード指示を受信するための手段と、ページングモード指示に基づいてページングモードを変更するための手段とを備える。および、いくつかの実施形態では、手段タイプの実施形態は、ＲＦリソースが利用可能であるとき他のシステム情報を獲得するための手段を含むことができる。
【００１７】
[0017]本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関して論じられ得るが、本発明のすべての実施形態は、本明細書で論じられる有利な特徴のうちの１つまたは複数を含み得る。言い換えれば、１つまたは複数の実施形態が、いくつかの有利な特徴を有するものとして論じられ得るが、そのような特徴のうちの１つまたは複数はまた、本明細書で論じられる本発明の様々な実施形態に従って使用され得る。同様に、例示的な実施形態が、以下ではデバイス、システム、または方法の実施形態として論じられ得るが、そのような例示的な実施形態は、様々なデバイス、システム、および方法で実装され得ることを理解されたい。
【図面の簡単な説明】
【００１８】
【図１】[0018]本明細書で開示されるシステムおよび方法が利用され得る、ワイヤレス通信システムの例を示す図。
【図２】[0019]本発明のいくつかの実施形態による、システム情報を取得するための方法の流れ図。
【図３】[0020]本発明のいくつかの実施形態による、ページングチャネルと複数のページングブロックとを示すブロック図。
【図４】[0021]本発明のいくつかの実施形態による、システム情報と複数のシステム情報タイプとを示すブロック図。
【図５】[0022]本明細書で開示されるシステムおよび方法が利用され得る、詳細なワイヤレス通信デバイスを示す図。
【図６】[0023]本発明のいくつかの実施形態による、システム情報を取得するための詳細な方法の流れ図。
【図７】[0024]本発明のいくつかの実施形態による、システム情報を取得するための詳細な方法の流れ図。
【図８】[0025]本明細書で開示されるシステムおよび方法が利用され得る、ワイヤレス通信システムの別の例を示す図。
【図９】[0026]ワイヤレス通信システム中の送信機および受信機のブロック図。
【図１０】[0027]本発明のいくつかの実施形態による、ワイヤレス通信デバイス内に含まれ得るいくつかのコンポーネントを示す図。
【発明を実施するための形態】
【００１９】
[0028]セル再選択手順または呼解放の後、ワイヤレス通信デバイスは、そのページングモードをページング再編成モードに変更し得る。ページング再編成は、ワイヤレス通信デバイスが、ページングチャネルを復号するための、システム情報、セル適合性情報、および／または制御チャネル情報を持たないとき、利用され得る。ページング再編成モードでは、ワイヤレス通信デバイスは、基地局との通信を確立するために必要なすべてのシステム情報を獲得することができる。
【００２０】
[0029]ページング再編成モードは、ワイヤレス通信デバイスがより速い速度ですべてのシステム情報を獲得することを可能にし得るが、それは、ワイヤレス通信効率を減少させることがある。たとえば、ページング再編成モードでは、ワイヤレス通信デバイスは、そのページンググループに関係なく、すべてのページングブロックを復号し得る。この復号は、電力消費量の増加をもたらすことがある。また、ページング再編成モードでは、ワイヤレス通信デバイスの第１のサブスクリプションは、すべてのシステム情報を復号し、そのページンググループを計算し、ページングブロックを復号するまで、無線周波数（ＲＦ）リソースを独占的に使用し得る。このことが、ワイヤレス通信デバイスのページング性能の低下につながることがある。他のサブスクリプションが、この期間中にＲＦリソースにアクセスできないことがあるからである。
【００２１】
[0030]したがって、本明細書で説明される技術は、電力消費量を低下させ、ワイヤレス通信デバイスの性能を改善することができる。いくつかのワイヤレス通信デバイスは、複数の加入者識別モジュール（ＳＩＭ）カードを使用して、複数のサブスクリプションを介して通信することができる。セル再選択手順または呼解放の後、ワイヤレス通信デバイスは、そのページングモードをページング再編成モードに変更することができる。ページング再編成モードでは、ワイヤレス通信デバイスの第１のサブスクリプションは、システム情報タイプ３（ＳＩ３）またはシステム情報タイプ４（ＳＩ４）を獲得することができる。ＳＩ３またはＳＩ４を獲得した後、ワイヤレス通信デバイスは、ページング再編成モードから出て、複数のサブスクリプションによって使用されるべきＲＦリソースを解放することができる。ワイヤレス通信デバイスは、次いで、ＲＦリソースが利用可能であるとき、システム情報の残りを断続的に獲得することができる。
【００２２】
[0031]ＳＩ３を獲得した後ページングモードを変更することは、第１のサブスクリプションがＲＦリソースを独占的に使用する時間の量を減少させることができ、このことは、モバイル端末の性能を改善することができる。ページングモードを変更することは、電力消費量も減少させ得る。ワイヤレス通信デバイスは、ページングチャネル内のすべてのページングブロックではなく、むしろワイヤレス通信デバイスのページンググループと関連付けられたページングブロックだけを読み取り、復号する必要があり得るからである。
【００２３】
[0032]図１は、本明細書で開示されるシステムおよび方法が利用され得る、ワイヤレス通信システム１００の例を示す。ワイヤレス通信システム１００は、第１の基地局１０２ａと、第２の基地局１０２ｂと、ワイヤレス通信デバイス１０４とを含み得る。
【００２４】
[0033]本明細書で使用される場合、「基地局」という用語は、ワイヤレス通信デバイス１０４と通信するために使用されるワイヤレス通信局を指し得る。基地局１０２は、代替的に、アクセスポイント（ナノセル、ピコセル、およびフェムトセルを含む）、Ｎｏｄｅ  Ｂ、ｅｖｏｌｖｅｄ  Ｎｏｄｅ  Ｂ（ｅＮｏｄｅＢ）、Ｈｏｍｅ  Ｎｏｄｅ  Ｂ、または何らかの他の類似の用語で呼ばれ得る。
【００２５】
[0034]第１の基地局１０２ａは、第１の送信機１０６ａと、第１の転送モジュール１０８ａと、第１のページングモジュール１１２ａと、第１のアンテナ１１０ａとを含み得る。第１の送信機１０６ａは、第１の基地局１０２ａからワイヤレス通信デバイス１０４に送信されるべき音声と、データと、他の信号とを処理し、準備することができる。第１の転送モジュール１０８ａは、音声データおよび／またはユーザデータのようなデータを、ワイヤレス通信デバイス１０４に送信することができる。たとえば、第１の転送モジュール１０８ａは、第１の送信機１０６ａおよび第１のアンテナ１１０ａを介して音声データを送信することができる。データは、第１のサブスクリプション１１４ａとしてワイヤレス通信デバイス１０４に送信され得る。
【００２６】
[0035]第１のページングモジュール１１２ａは、ページメッセージを生成し、ワイヤレス通信デバイス１０４へ送出することができる。たとえば、ページメッセージは、第１の送信機１０６ａおよび第１のアンテナ１１０ａを介して、ワイヤレス通信デバイス１０４に送信され得る。ページメッセージは、第１のサブスクリプション１１４ａを介してワイヤレス通信デバイス１０４に送信され得る。ワイヤレス通信システム１００は、ページメッセージを使用して、ページング情報を１つまたは複数のワイヤレス通信デバイス１０４にブロードキャストする。たとえば、ページメッセージは、第１のサブスクリプション１１４ａ上に着信した音声呼をワイヤレス通信デバイス１０４に通知するために、ワイヤレス通信デバイス１０４に送信され得る。
【００２７】
[0036]第２の基地局１０２ｂは、第２の送信機１０６ｂと、第２の転送モジュール１０８ｂと、第２のページングモジュール１１２ｂと、第２のアンテナ１１０ｂとを含み得、これらは、第１の基地局１０２ａに関して説明される対応する要素に類似したものであってよい。第２の基地局１０２ｂは、第２のサブスクリプション１１４ｂとしてデータをワイヤレス通信デバイス１０４に送信することができる。
【００２８】
[0037]本明細書で使用される場合、「ワイヤレス通信デバイス」という用語は、ワイヤレス通信システム１００を通じた音声および／またはデータ通信のために使用され得る、電子デバイスを指す。ワイヤレス通信デバイス１０４の例は、アクセス端末、クライアントデバイス、クライアント局などを含んでよく、他の通信デバイス（たとえば、基地局１０２および他のワイヤレス通信デバイス１０４）とワイヤレスに通信してよい。いくつかのワイヤレス通信デバイス１０４は、局（ＳＴＡ）、モバイルデバイス、移動局（ＭＳ）、加入者局、ユーザ機器（ＵＥ）、遠隔局、アクセス端末、モバイル端末、端末、ユーザ端末、加入者ユニットなどと呼ばれ得る。ワイヤレス通信デバイス１０４のさらなる例は、ラップトップコンピュータまたはデスクトップコンピュータ、セルラー電話、スマートフォン、ワイヤレスモデム、電子リーダ、タブレットデバイス、ゲームシステム、エンターテイメントデバイス、ルータ、テレビ、教育デバイス、ディスプレイボードなどを含む。
【００２９】
[0038]ワイヤレス通信デバイス１０４は、転送受信モジュール１１８と、ページングモードモジュール１２０と、無線周波数（ＲＦ）制御モジュール１２２と、少なくとも１つのアンテナ１１６とを含み得る。ワイヤレス通信デバイス１０４は、第１の基地局１０２ａおよび第２の基地局１０２ｂからアンテナ１１６を介して通信を送信および受信することができる。たとえば、ワイヤレス通信デバイス１０４は、第１の基地局１０２ａから通信を受信するおよび／または第２の基地局１０２ｂから通信を受信することができる。
【００３０】
[0039]図１に示されるように、ワイヤレス通信デバイス１０４は、複数のサブスクリプション１１４を介して通信するように構成され得る。第１のサブスクリプション１１４ａは、第１の基地局１０２ａに対応し得る。第１のサブスクリプション１１４ａは、第１の基地局１０２ａとワイヤレス通信デバイス１０４との間で、音声データおよび／またはユーザデータのようなデータを転送することができる。同様に、第２のサブスクリプション１１４ｂは、第２の基地局１０２ｂに対応し得る。第２のサブスクリプション１１４ｂは、第２の基地局１０２ｂとワイヤレス通信デバイス１０４との間で、音声データおよび／またはユーザデータのようなデータを転送することができる。ワイヤレス通信デバイス１０４は、複数の加入者識別モジュール（ＳＩＭ）カードを使用して、複数のサブスクリプション１１４と通信することができる。たとえば、ワイヤレス通信デバイス１０４は、第１のサブスクリプション１１４ａと通信する第１のＳＩＭカードと、第２のサブスクリプション１１４ｂと通信する第２のＳＩＭカードとを利用することができる。他の構成では、追加のＳＩＭカードも利用され得る。
【００３１】
[0040]サブスクリプション１１４を使用して情報を受信／送信することは、ワイヤレス通信デバイス１０４にとって利用可能なＲＦリソースを独占的に使用することを含み得る。たとえば、ワイヤレス通信デバイス１０４は、単一のＲＦリソース（たとえば、送信機および受信機）を利用し得る。したがって、ワイヤレス通信デバイス１０４は、一度に１つのサブスクリプション１１４のみを介してデータを受信／送信し得る。この時間中、他のサブスクリプションはアイドル状態であり得る。たとえば、ワイヤレス通信デバイス１０４は、第１のサブスクリプション１１４ａを介して音声データを受信するために、ＲＦリソースを独占的に使用し得る。この例では、ワイヤレス通信デバイス１０４は、第１のサブスクリプション１１４ａを介して音声データを受信している間、第２のサブスクリプション１１４ｂを介してデータを送信または受信し得ない。同様に、ワイヤレス通信デバイス１０４は、第２のサブスクリプション１１４ｂを介して音声データを受信するために、ＲＦリソースを独占的に使用し得、したがって、ワイヤレス通信デバイス１０４は、第２のサブスクリプション１１４ｂを介して音声データを受信している間、第１のサブスクリプション１１４ａを介して送信または受信しない。これらの例では、ワイヤレス通信デバイス１０４は、第１のサブスクリプション１１４ａから第２のサブスクリプション１１４ｂに切り換えることができ、逆も同様であり、したがって、両方のサブスクリプション１１４が、異なる時間にＲＦリソースへの独占的なアクセスを有し得る。
【００３２】
[0041]図１は、複数のサブスクリプション１１４を介して通信するように構成されたワイヤレス通信デバイス１０４を示すが、本明細書で説明されるシステムおよび方法は、単一のサブスクリプションまたはより多くのサブスクリプション１１４と通信するように構成されたワイヤレス通信デバイス１０４によっても実行され得る。言い換えれば、本明細書で説明されるシステムおよび方法は、単一のＳＩＭカードまたは複数のＳＩＭカードを有するワイヤレス通信デバイス１０４によって実行され得る。
【００３３】
[0042]転送受信モジュール１１８は、ワイヤレス通信デバイス１０４において受信されたデータ（たとえば、音声データおよび／またはユーザデータ）を処理することができる。たとえば、転送受信モジュール１１８は、ワイヤレス通信デバイス１０４が第１のサブスクリプション１１４ａまたは第２のサブスクリプション１１４ｂと通信するように同調されているとき、利用され得る。データを受信し、処理することは、受信されたデータを復号することを含み得る。
【００３４】
[0043]転送受信モジュール１１８が受信できるデータの一例は、システム情報である。システム情報は、ワイヤレス通信デバイス１０４がセル上にキャンプすることを可能にする情報であってよい。本明細書で使用される場合、「セル」という用語は、この用語が使用される文脈に応じて、そのカバレッジエリアおよび／または基地局１０２を指し得る。セル上にキャンプすることは、様々なタイプの情報を目的としてワイヤレス通信デバイス１０４がセルを監視することを意味し得る。この情報は、たとえば、システム情報とページング情報とを含むことができる。システム情報は、複数のシステム情報タイプに分類され得る。たとえば、システム情報の一部分は、システム情報タイプ３（ＳＩ３）であってよい。ＳＩ３は、セル選択パラメータ、ランダムアクセスチャネル（ＲＡＣＨ）パラメータ、制御チャネルパラメータ、セル識別子、ロケーションエリア識別子、およびワイヤレス通信デバイス１０４のページングブロックを計算するための情報のうち１つまたは複数を含んでよい。別の例では、システム情報タイプ４（ＳＩ４）は、ＳＩ３に含まれる情報と、セルブロック識別子とを含み得る。システム情報タイプに関するさらなる詳細が、図４に関連して与えられる。
【００３５】
[0044]動作のいくつかのモードでは、転送受信モジュール１１８は、一度にすべてのシステム情報を受信することができる。たとえば、第１のサブスクリプション１１４ａに同調されているが、ワイヤレス通信デバイス１０４は、すべてのシステム情報（たとえば、すべてのシステム情報タイプ）を受信し、復号するまで、ページング再編成モードであってよい。ページング再編成モードにおけるワイヤレス通信デバイス１０４の具体的な例は、次のように与えられる。単一のＲＦリソース（たとえば、単一のＲＦ送受信チェーン）を有するマルチＳＩＭワイヤレス通信デバイス１０４がページング再編成モードであるとき、第１のサブスクリプション１１４ａはＲＦリソースを使用することができ、すべてのシステム情報が受信され、ワイヤレス通信デバイス１０４がそのページングモードを変更するまで、第１のサブスクリプション１１４ａがＲＦリソースを解放しないことがある。言い換えれば、第２のサブスクリプション１１４ｂは、ある時間の期間（たとえば３〜１０秒）にわたってＲＦリソースが与えられないことがある。これが、ワイヤレス通信デバイス１０４の性能の低下につながることがある。たとえば、第２のサブスクリプション１１４ｂは、ＲＦリソースが解放されるまでページを取り損ねることがあり、セル選択が第２のサブスクリプション１１４ｂ上でトリガされることがある。
【００３６】
[0045]動作の別のモードでは、転送受信モジュール１１８は、ＲＦリソースが利用可能であるとき、システム情報の１つまたは複数の部分を断続的に読み取り、復号することができる。たとえば、動作のこの他のモードでは、転送受信モジュール１１８は、ＲＦリソースが第２のサブスクリプション１１４ｂによって使用されていないとき、第１のサブスクリプション１１４ａのためのシステム情報を読み取り、復号することができる。
【００３７】
[0046]一例では、転送受信モジュール１１８は、上で説明された動作の両方のモードを使用してシステム情報を受信することができる。一例が次のように与えられる。ページング再編成モード中、ワイヤレス通信デバイス１０４は、第１のサブスクリプション１１４ａのためのＳＩ３を読み取り、復号することができる。次いで、ＳＩ３を獲得した後、ワイヤレス通信デバイス１０４は、ネットワークによって指示されるページングモードに切り換わることができる。ネットワークによって指示されるページングモードは、両方のサブスクリプション１１４によるＲＦリソースの断続的な使用を可能にすることができる。したがって、転送受信モジュール１１８は、第１のサブスクリプション１１４ａのための他のシステム情報を読み取り、復号することができ、第２のサブスクリプション１１４ｂを介して第２の基地局１０２ｂからのページを復調することができる。
【００３８】
[0047]ページングモードモジュール１２０は、ワイヤレス通信デバイス１０４のページングモードを切り換えることができる。たとえば、セル再選択または呼解放の後、ページングモードモジュール１２０は、ワイヤレス通信デバイス１０４をページング再編成モードへと切り換えることができる。ページング再編成モードは、非間欠受信（ｎｏｎ−ＤＲＸ）モードであってよい。言い換えれば、ページング再編成モードでは、ワイヤレス通信デバイス１０４は、スキャニングにおける間隙を生じさせることなくページングメッセージを継続的にスキャンすることができる。ページングモードモジュール１２０はまた、ワイヤレス通信デバイス１０４のページングモードを別のページングモードに切り換えることもできる。たとえば、ページング再編成モードにおいてシステム情報（たとえば、ＳＩ３）の一部分を獲得した後、ページングモードモジュール１２０は、ワイヤレス通信デバイス１０４のページングモードを切り換えることができる。他のページングモードである間、ワイヤレス通信デバイス１０４は、他のシステム情報を断続的に受信することができる。
【００３９】
[0048]加えて、他のページングモードの間、ワイヤレス通信デバイス１０４は、すべてのページングブロックを読み取り、復号するとは限らないように構成され得る。むしろ、ワイヤレス通信デバイス１０４は、ワイヤレス通信デバイス１０４が属するページンググループと関連付けられたページングブロックを読み取り、復号し、ワイヤレス通信デバイス１０４のページンググループと関連付けられていない他のページングブロックを読み取り、復号することを回避するように構成され得る。たとえば、ＳＩ３を獲得した後、ワイヤレス通信デバイス１０４は、そのページンググループを決定し、そのページンググループと関連付けられたページングブロックをリッスンすることができる。ページンググループに関するさらなる詳細が、図３に関連して与えられる。
【００４０】
[0049]いくつかの構成では、ページングモードモジュール１２０は、受信された入力に基づいて、ワイヤレス通信デバイス１０４のページングモードを切り換えることができる。たとえば、ワイヤレス通信デバイス１０４は、ネットワークから（たとえば、基地局１０２から）ページングモード指示を受信することがある。ページングモード指示は、特定の基地局１０２と通信する間に使用されるべきページングモードを指示することができる。したがって、ページングモードモジュール１２０は、ワイヤレス通信デバイス１０４のページングモードを、指示されたページングモードに変更することができる。ページングモード指示は、ワイヤレス通信デバイス１０４のページンググループと関連付けられたページングブロックに含まれる即時割当てメッセージまたはページングメッセージに含まれてよい。
【００４１】
[0050]ワイヤレス通信デバイス１０４のページングモードをページング再編成モードから別のページングモードに切り換えることが有益な場合がある。これは、ワイヤレス通信デバイス１０４のページングモードをページング再編成モードから別のページングモードに切り換えることが、他のサブスクリプション１１４がＲＦリソースを使用することを可能にするからである。たとえば、他のページングモードの間、第２のサブスクリプション１１４ｂは、ＲＦリソースを使用して、第２の基地局１０２ｂからのページを復調することができる。別のページングモードに切り換えることは、ワイヤレス通信デバイス１０４が、ワイヤレス通信デバイス１０４のページンググループに関係なくすべてのページングブロックを読み取るのではなく、ページングブロックの一部分を復号するだけでよいことがあるので、有益であり得る。
【００４２】
[0051]システム情報の一部分のみを獲得した後ページングモードを切り換えることの利益のより具体的な例は、次のように与えられる。既存の方法を使用して、ページング再編成モード中、第１のサブスクリプション１１４ａは、すべてのシステム情報を獲得する間、ＲＦリソースを保持することができる。これは、良好な無線状態では約３〜５秒、不良な無線状態では最大で約１０秒、持続することがある。したがって、第２のサブスクリプション１１４ｂは、約３〜１０秒間ＲＦリソースがないことがある。それと比較して、本明細書で開示される技術を使用すると、ワイヤレス通信デバイス１０４は、ページング再編成モードの間、良好な無線状態ではＳＩ３を約４００ミリ秒（ｍｓ）で獲得することができる。したがって、第２のサブスクリプション１１４ｂは、約４００ｍｓにわたってＲＦリソースがないことがある。したがって、ＳＩ３を獲得した後ページング再編成モードから別のページングモードに切り換えることは、取り損ねられたページに関する効率の約８０〜９０％の上昇という結果になり得る。表（１）は、本明細書で説明されるシステムおよび方法を使用したＭＴ性能の向上を示す。表（１）に含まれる情報は、本明細書で説明されるシステムおよび方法の実地試験から収集されたデータを表す。
【００４３】
【表１】
2016533118.tif 000003
【００４４】
[0052]ＲＦ制御モジュール１２２は、ＲＦリソースへのアクセスを制御することができる。たとえば、第１のサブスクリプション１１４ａは、ページング再編成モードの間、ＲＦリソースに独占的にアクセスし得る。別の例では、複数のサブスクリプション１１４は、ＲＦリソースに断続的にアクセスし得る。たとえば、通常ページングモード中、第１のサブスクリプション１１４ａおよび第２のサブスクリプション１１４ｂは、ＲＦリソースに断続的にアクセスすることができる。ＲＦ制御モジュール１１２は、ＲＦリソースを解放することができる。たとえば、第１のサブスクリプション１１４ａがシステム情報の一部分獲得した後、ＲＦ制御モジュール１１２は、第２のサブスクリプション１１４ｂによって使用されるべきＲＦリソースを解放することができる。
【００４５】
[0053]図２は、本発明のいくつかの実施形態による、システム情報を取得するための方法２００の流れ図である。方法２００のステップのうち１つまたは複数は、ワイヤレス通信デバイス１０４によってサポートされるサブスクリプション１１４によって実行され得る。たとえば、第１のサブスクリプション１１４ａは、ページング再編成モードに入ることができる（２０２）。一例では、第１のサブスクリプション１１４ａは、新しい通信セルを選択した後、ページング再編成モードに入ることができる（２０２）。別の例では、第１のサブスクリプション１１４ａは、音声呼を終了した後、ページング再編成モードに入ることができる（２０２）。ページング再編成モードに入ること（２０２）は、ページング再編成モードで動作するようにワイヤレス通信デバイス１０４の１つまたは複数の設定を変更することを含み得る。
【００４６】
[0054]ページング再編成モードの間、ワイヤレス通信デバイス１０４は、ＲＦリソースを使用して第１のサブスクリプション１１４ａによってシステム情報の一部分を獲得することができる（２０４）。言い換えれば、第１のサブスクリプション１１４ａは、ワイヤレス通信デバイス１０４が第１の基地局１０２ａと通信することを可能にし得る情報の一部分を獲得することができる。たとえば、第１のサブスクリプション１１４ａは、ＳＩ３を獲得することができる。別の例では、第１のサブスクリプション１１４ａは、ＳＩ４を獲得することができる。第１のサブスクリプション１１４ａは、ページングブロックを読み取り、復号することによって、システム情報の一部分を獲得することができる（２０４）。ページングブロックは、ページングチャネル（ＰＣＨ）またはブロードキャストチャネル（ＢＣＣＨ）に含まれてよい。
【００４７】
[0055]システム情報の一部分を獲得した（２０４）後、第１のサブスクリプション１１４ａは、そのページングモードを変更することができる（２０６）。たとえば、第１のサブスクリプション１１４ａは、ページング再編成モードから、ネットワークによって指示されたページングモードに切り換わることができる。いくつかの構成では、ネットワークによって指示されたページングモードは、ワイヤレス通信デバイス１０４が複数のサブスクリプション１１４の間でＲＦリソースを共有することを可能にし得る。他のチャネルも必要に応じて使用されてよい。
【００４８】
[0056]したがって、第１のサブスクリプション１１４ａは、システム情報の一部分を獲得した後、システム情報のすべてを獲得する前に、ＲＦリソースを解放することができる（２０８）。ＲＦリソースを解放した（２０８）後、第１のサブスクリプション１１４ａと第２のサブスクリプション１１４ｂの両方は、ＲＦリソースを断続的に利用することができる。たとえば、第２のサブスクリプション１１４ｂは、第２のサブスクリプション１１４ｂを介して第２の基地局１０２ｂから受信されたページを復調するためにＲＦリソースへのアクセスを有し得る。第２のサブスクリプション１１４ｂがデータを送信／受信していない時間の期間中、第１のサブスクリプション１１４ａは、他のシステム情報（たとえば、ＳＩ４など）を引き続き受信することができる。
【００４９】
[0057]図３は、本発明のいくつかの実施形態による、ページングチャネル３２６と複数のページングブロック３２８ａ〜ｄとを示すブロック図である。上で説明されたように、基地局１０２は、システム情報を１つまたは複数のワイヤレス通信デバイス１０４にブロードキャストすることができる。たとえば、システム情報は、第１のサブスクリプション１１４ａ上に着信する音声呼をワイヤレス通信デバイス１０４に通知するために、ワイヤレス通信デバイス１０４に送信され得る。システム情報は、基地局１０２との通信リンクを確立するためにワイヤレス通信デバイス１０４によって必要とされる情報も含むことができる。
【００５０】
[0058]基地局１０２は、ページングチャネル（ＰＣＨ）３２６を介してワイヤレス通信デバイス１０４にシステム情報を送信することができる。図３はページングチャネル３２６を示しているが、いくつかの構成では、基地局１０２は、ブロードキャストチャネル（ＢＣＣＨ）を使用してワイヤレス通信デバイス１０４にシステム情報を送信することができる。
【００５１】
[0059]ページングチャネル３２６（またはブロードキャストチャネル）は、１つまたは複数のページングブロック３２８ａ〜ｄへと分割され得る。たとえば、ページングチャネル３２６は、第１のページングブロック３２８ａ、第２のページングブロック３２８ｂ、第３のページングブロック３２８ｃ、および第４のページングブロック３２８ｄへと分割され得る。ページングブロック３２８は、１つまたは複数のワイヤレス通信デバイス１０４に宛てられたシステム情報を含むページングチャネル３２６の一部分であってよい。たとえば、第１のページングブロック３２８ａは、ワイヤレス通信デバイス１０４の第１のグループのためのシステム情報を含んでよく、第２のページングブロック３２８ｂは、ワイヤレス通信デバイス１０４の第２のグループのためのシステム情報を含んでよい。本明細書で使用される場合、ページングブロック３２８が対象とするワイヤレス通信デバイス１０４のグループは、ページンググループと呼ばれ得る。
【００５２】
[0060]上で説明されたように、ページング再編成モードの間、第１のサブスクリプション１１４ａは、すべてのページングブロック３２８ａ〜ｄを読み取り、復号することができる。それと比較して、別のページングモードでは、第１のサブスクリプション１１４ａは、ワイヤレス通信デバイス１０４のページンググループに対応するページングブロック３２８を読み取り、復号することができる。たとえば、ＳＩ３を獲得し、ページングモードを変更した後、第１のサブスクリプション１１４ａは、図３ではボックス３２４によって示されている、ワイヤレス通信デバイス１０４のページンググループに対応するページングブロック３２８ｃを読み取り、復号することができる。
【００５３】
[0061]図４は、本発明のいくつかの実施形態による、システム情報４３０と複数のシステム情報タイプ４３２とを示すブロック図である。上で説明されたように、ワイヤレス通信デバイス１０４は、ワイヤレス通信デバイス１０４が基地局１０２と通信することを可能にするシステム情報４３０を獲得することができる。いくつかの構成では、システム情報４３０は、図３に関して説明されたページングブロック３２８を介して受信され得る。
【００５４】
[0062]システム情報４３０は、１つまたは複数のシステム情報タイプ４３２ａ〜ｈへと分割され得る。異なるシステム情報タイプ４３２ａ〜ｈは、ワイヤレス通信デバイス１０４がセル上にキャンプすることを可能にする異なる情報を含み得る。たとえば、ＳＩ３  ４３２ｃは、セル選択パラメータ、ランダムアクセスチャネル（ＲＡＣＨ）パラメータ、制御チャネルパラメータ、セル識別子、ロケーションエリア識別子、およびワイヤレス通信デバイス１０４のページングブロックを計算するための情報のうち１つまたは複数を含んでよい。別の例では、ＳＩ４  ４３２ｄは、ＳＩ３  ４３２ｃに含まれる情報と、セルブロック識別子とを含み得る。上で説明されたように、いくつかの構成では、ワイヤレス通信デバイス１０４は、ページング再編成モードの間、ＳＩ３  ４３２ｃを獲得することができ、他のシステム情報タイプ４３２ａ〜ｂ、ｄ〜ｈは、後で獲得され得る。
【００５５】
[0063]図５は、本明細書で開示されるシステムおよび方法が利用され得る、詳細なワイヤレス通信デバイス５０４を示す。ワイヤレス通信デバイス５０４は、図１に関して説明されたワイヤレス通信デバイス１０４の一例であってよい。ワイヤレス通信デバイス５０４は、転送受信モジュール５１８と、ページングモードモジュール５２０と、ＲＦ制御モジュール５２２と、アンテナ５２４を含み得、これらは、図１に関して説明された対応する要素の例であってよい。ワイヤレス通信デバイス５０４は、適切なセルモジュール５３４と、ページンググループモジュール５３６も含み得る。
【００５６】
[0064]適切なセルモジュール５３４は、セルが通信に適しているかどうかを決定することができる。たとえば、ワイヤレス通信デバイス５０４がＳＩ３  ４３２ｃおよびＳＩ４  ４３２ｄのうち少なくとも１つを獲得した後、適切なセルモジュール５３４は、ワイヤレス通信デバイス５０４と基地局１０２とを結び付けるセルが適切であるかどうかを検出することができる。セルが適切であるかどうかを決定することは、セルを介して送信される信号の強度を決定することを含み得る。セルが適切であるかどうかを決定することは、信号強度が一定の閾値よりも大きいかどうか決定することも含み得る。いくつかの実装形態では、ワイヤレス通信デバイス５０４は、セルが適切かどうかを決定するルックアップテーブルおよび／またはメトリックを含み得る。
【００５７】
[0065]ページンググループモジュール５３６は、ワイヤレス通信デバイス５０４のページンググループを決定することができる。いくつかの構成では、ページンググループモジュール５３６は、システム情報に基づいて、ワイヤレス通信デバイス５０４のページンググループを決定することができる。たとえば、ＳＩ３は、ページンググループ指示を含んでもよいし、ワイヤレス通信デバイス５０４がそのページンググループを決定することを可能にする情報を含んでもよい。
【００５８】
[0066]上で説明されたように、動作のいくつかのモードでは、ワイヤレス通信デバイス５０４は、ワイヤレス通信デバイス５０４のページンググループと関連付けられたページングブロック３２８のみを読み取り、復号することができる。したがって、ページンググループモジュール５３６は、ワイヤレス通信デバイス５０４のページンググループを決定し、ワイヤレス通信デバイス５０４に、システム情報のためにどのページングブロック３２８をスキャンするべきかを知らせることができる。
【００５９】
[0067]図６は、本発明のいくつかの実施形態による、システム情報４３０を取得するための詳細な方法６００の流れ図である。方法６００のステップのうち１つまたは複数は、ワイヤレス通信デバイス５０４によってサポートされるサブスクリプション１１４によって実行され得る。たとえば、第１のサブスクリプション１１４ａは、ページング再編成モードに入ることができる（６０２）。これは、図２に関して説明されたように実行され得る。
【００６０】
[0068]ページング再編成モードの間、第１のサブスクリプション１１４ａは、ＳＩ３  ４３２ｃおよびＳＩ４  ４３２ｄのうち少なくとも１つを獲得することができる（６０４）。たとえば、第１のサブスクリプション１１４ａは、ＳＩ３  ４３２ｃおよびＳＩ４  ４３２ｄのうち少なくとも１つをページングチャネル３２６のページングブロック３２８から読み取り、復号することができる。ＳＩ３  ４３２ｃおよび／またはＳＩ４  ４３２ｄから、ワイヤレス通信デバイス５０４が基地局１０２と通信することを許可するおよび／または可能にする他の重要パラメータが決定され得る。
【００６１】
[0069]ＳＩ３  ４３２ｃまたはＳＩ４  ４３２ｄを獲得した（６０４）後、第１のサブスクリプション１１４ａは、そのページングモードを、ネットワークによって指示されたページングモードに変更することができる。たとえば、第１のサブスクリプション１１４ａは、ワイヤレス通信デバイス５０４と関連付けられたページングブロック３２８を介してページングモード指示を受信することができる（６０６）。たとえば、第１の基地局１０２ａは、ワイヤレス通信デバイス５０４のページンググループと関連付けられたページングブロック３２８においてページングモード指示を送信することができる。別の例では、第１の基地局１０２ａは、ワイヤレス通信デバイス５０４のページンググループと関連付けられたページングブロック３２８に含まれる即時割当てメッセージにおいてページングモード指示を送信することができる。
【００６２】
[0070]次いで、第１のサブスクリプション１１４ａは、そのページングモードをページングモード指示に基づいて変更することができる（６０８）。たとえば、ネットワークが通常ページングモードを使用する場合、第１のサブスクリプション１１４ａは、通常ページングモードに変更することができる。同様に、ネットワークが拡張ページングモードを使用する場合、第１のサブスクリプション１１４ａは、拡張ページングモードに変更することができる。
【００６３】
[0071]次いで、第１のサブスクリプション１１４ａは、システム情報の一部分を獲得した後、すべてのシステム情報を獲得する前に、ＲＦリソースを解放することができる（６１０）。これは、図２に関して説明されたように行われ得る。
【００６４】
[0072]図７は、本発明のいくつかの実施形態による、システム情報４３０を取得するための詳細な方法７００の流れ図である。方法７００は、ワイヤレス通信デバイス１０４によってサポートされるサブスクリプション１１４によって実行され得る。たとえば、第１のサブスクリプション１１４ａは、ｅａｒｌｙ＿ｃａｍｐ＿ｗａｉｔ＿ｆｏｒ＿ｓｉ状態に入ることができる（７０２）。いくつかの構成では、第１のサブスクリプション１１４ａは、セル再選択の後、ｅａｒｌｙ＿ｃａｍｐ＿ｗａｉｔ＿ｆｏｒ＿ｓｉ状態に入ることができる（７０２）。他の構成では、第１のサブスクリプション１１４ａは、音声呼を完了した後、ｅａｒｌｙ＿ｃａｍｐ＿ｗａｉｔ＿ｆｏｒ＿ｓｉ状態に入ることができる（７０２）。
【００６５】
[0073]次いで、第１のサブスクリプション１１４ａは、そのページングモードをページング再編成モードに変更することができる（７０４）。たとえば、第１のサブスクリプション１１４ａは、第１のサブスクリプション１１４ａがすべてのページングブロック３２８を読み取り、復号し、ＲＦリソースを独占的に使用することができるように、その構成を変更することができる。ページング再編成モードに変更した（７０４）後、第１のサブスクリプション１１４ａは、ページングチャネル３２６およびブロードキャストチャネルのうち少なくとも１つの読取りと復号とを始めることができる。
【００６６】
[0074]ページングチャネル３２６（またはブロードキャストチャネル）を読み取り、復号する間、第１のサブスクリプション１１４ａは、ＳＩ３  ４３２ｃまたはＳＩ４  ４３２ｄが獲得されたかどうかを決定することができる（７０６）。第１のサブスクリプション１１４ａが、ＳＩ３  ４３２ｃまたはＳＩ４  ４３２ｄのどちらも獲得されていないと決定した場合（７０６）、第１のサブスクリプション１１４ａは、ＳＩ３  ４３２ｃまたはＳＩ４  ４３２ｄのうち少なくとも１つが獲得されるまで、ページングチャネル３２６（またはブロードキャストチャネル）を引き続き読み取り、復号することができる。
【００６７】
[0075]第１のサブスクリプション１１４ａが、ＳＩ３  ４３２ｃおよびＳＩ４  ４３２ｄのうち少なくとも１つが獲得されたと決定した場合（７０６）、第１のサブスクリプション１１４ａは、セルが適切であるかどうかを決定することができる（７０８）。たとえば、第１のサブスクリプション１１４ａは、セルが基地局１０２とワイヤレス通信デバイス５０４との間でデータを十分に送信するのに十分な強度を持つ信号を提供し得るかどうかを決定することができる。第１のサブスクリプション１１４ａが、セルが適切でないと決定した場合（７０８）、第１のサブスクリプション１１４ａは、獲得と、適切なセル上にキャンプすることとを開始することができる（７１０）。
【００６８】
[0076]第１のサブスクリプション１１４ａが、セルが適切であると決定した場合（７０８）、第１のサブスクリプション１１４ａは、ワイヤレス通信デバイス５０４と関連付けられたページングブロック３２８を介してページングモード指示を受信することができる（７１２）。これは、図６に関して説明されたように実行され得る。
【００６９】
[0077]次いで、第１のサブスクリプション１１４ａは、ページングモードインジケータがページング再編成モードを指示するかどうかを決定することができる（７１４）。ページングモードインジケータがページング再編成モードを指示する場合、第１のサブスクリプション１１４ａは、ページング再編成モードのままであり、ページングモードが変更されるまで、引き続きページングチャネル３２６（またはブロードキャストチャネル）を読み取り、すべてのシステム情報４３０を獲得することができる（７１６）。言い換えれば、第１のサブスクリプション１１４ａは、そのページンググループにかかわらず、引き続きすべてのページングブロック３２８を読み取ることができ、そうするために引き続きＲＦリソースを独占的に使用することができる。
【００７０】
[0078]第１のサブスクリプション１１４ａが、ページングモードインジケータはページング再編成モードを指示しないと決定した場合（７１４）、第１のサブスクリプション１１４ａは、そのページングモードを変更し、ＲＦリソースを解放することができる（７１８）。これは、図２に関して説明されたように実行され得る。
【００７１】
[0079]ＲＦリソースを解放した（７１８）後、第１のサブスクリプション１１４ａは、ＲＦリソースが利用可能であるとき、他のシステム情報を断続的に獲得することができる（７２０）。たとえば、第１のサブスクリプション１１４ａは、第２のサブスクリプション１１４ｂがＲＦリソースを利用していない期間内に、第１の基地局１０２ａから他のシステム情報を獲得することができる（７２０）。
【００７２】
[0080]すべてのシステム情報が獲得された後、第１のサブスクリプション１１４ａは、キャンプした状態に移行することができる（７２２）。言い換えれば、第１のサブスクリプション１１４ａは、１つまたは複数の構成変更を実施し、基地局１０２との音声／データ通信を送信し始めることができる。
【００７３】
[0081]図８は、本明細書で開示されるシステムおよび方法が利用され得る、ワイヤレス通信システム８００の別の例を示す。ワイヤレス通信システム８００は、複数の基地局８０２と、複数のワイヤレス通信デバイス８０４とを含み得る。各基地局８０２は、特定の地理的エリア８３８に対して通信カバレッジを提供し得る。「セル」という用語は、この用語が使用される文脈に応じて、基地局８０２および／またはそのカバレッジエリア８３８を指し得る。
【００７４】
[0082]システム容量を向上させるために、基地局カバレッジエリア８３８は、複数のより小さなエリア、たとえば、３つの小さなエリア８４０ａ、８４０ｂ、および８４０ｃに区分され得る。各々のより小さなエリア８４０ａ、８４０ｂ、および８４０ｃは、それぞれの無線基地局装置（ＢＴＳ）によってサービスされ得る。「セクタ」という用語は、この用語が使用される文脈に応じて、ＢＴＳおよび／またはそのカバレッジエリア８４０を指し得る。セクタ化されたセルの場合、そのセルのすべてのセクタのＢＴＳは通常、そのセルの基地局８０２内に併設される。
【００７５】
[0083]ワイヤレス通信デバイス８０４は通常、ワイヤレス通信システム８００全体にわたって分散する。ワイヤレス通信デバイス８０４は、任意の所与の瞬間に、ダウンリンクおよび／またはアップリンクで、１つまたは複数の基地局８０２と通信し得る。ダウンリンク（または順方向リンク）は、基地局８０２からワイヤレス通信デバイス８０４への通信リンクを指し、アップリンク（または逆方向リンク）は、ワイヤレス通信デバイス８０４から基地局８０２への通信リンクを指す。アップリンクおよびダウンリンクは、通信リンク、または通信リンクに使用されるキャリアを指し得る。
【００７６】
[0084]集中型アーキテクチャの場合、システムコントローラ８３６は、基地局８０２に結合し、基地局８０２のための調整と制御とを行うことができる。システムコントローラ８３６は、単一のネットワークエンティティまたはネットワークエンティティの集合であり得る。分散型アーキテクチャの場合、基地局８０２は、必要に応じて互いに通信し得る。
【００７７】
[0085]図９は、ワイヤレス通信システム９００中の送信機９４２および受信機９４４のブロック図を示す。ダウンリンクでは、送信機９４２は基地局９０２の一部であってよく、受信機９４４はワイヤレス通信デバイス９０４の一部であってよい。アップリンクでは、送信機９４２はワイヤレス通信デバイス９０４の一部であってよく、受信機９４４は基地局９０２の一部であってよい。
【００７８】
[0086]送信機９４２において、送信（ＴＸ）データプロセッサ９４８は、データ９４６を受信して処理（たとえば、フォーマット、符号化、およびインターリーブ）し、コーディングされたデータを提供する。変調器９５２は、コーディングされたデータの変調を実行し、変調された信号を提供する。変調器９５２は、ＧＳＭ（登録商標）ではガウス型最小シフトキーイング（ＧＭＳＫ）を、Ｅｎｈａｎｃｅｄ  Ｄａｔａ  ｒａｔｅｓ  ｆｏｒ  Ｇｌｏｂａｌ  Ｅｖｏｌｕｔｉｏｎ（ＥＤＧＥ）では８位相シフトキーイング（８ＰＳＫ）を実行することなどができる。ＧＭＳＫは連続位相変調プロトコルであり、８ＰＳＫはデジタル変調プロトコルである。送信機ユニット（ＴＭＴＲ）９５６は、変調された信号を調整（たとえば、フィルタリング、増幅、およびアップコンバート）し、ＲＦ変調された信号を生成し、そのＲＦ変調された信号はアンテナ９１０を介して送信される。
【００７９】
[0087]受信機９４４において、アンテナ９１６は、送信機９４２および他の送信機から、ＲＦ変調された信号を受信する。アンテナ９１６は、受信されたＲＦ信号を受信機ユニット（ＲＣＶＲ）９５８に提供する。受信機ユニット９５８は、受信されたＲＦ信号を調整（たとえば、フィルタリング、増幅、およびダウンコンバート）し、その調整された信号をデジタル化し、サンプルを提供する。復調器９６０は、以下で説明されるようにサンプルを処理し、復調されたデータを提供する。受信（ＲＸ）データプロセッサ９６２は、復調されたデータを処理（たとえば、デインターリーブおよび復号）し、復号されたデータ９６４を提供する。一般に、復調器９６０およびＲＸデータプロセッサ９６２による処理は、それぞれ送信機９４２の変調器９５２およびＴＸデータプロセッサ９４８による処理を補足するものである。
【００８０】
[0088]コントローラ／プロセッサ９５０および９６８はそれぞれ、送信機９４２および受信機９４４における動作を指示することができる。メモリ９５４および９６６は、それぞれ送信機９４２および受信機９４４によって使用される、コンピュータソフトウェアの形態のプログラムコードとデータとを記憶する。
【００８１】
[0089]図１０は、本発明のいくつかの実施形態による、ワイヤレス通信デバイス１００４内に含まれ得るいくつかのコンポーネントを示す図である。ワイヤレス通信デバイス１００４は、アクセス端末、移動局、ユーザ機器（ＵＥ）などであり得る。ワイヤレス通信デバイス１００４はプロセッサ１０７６を含む。プロセッサ１０７６は、汎用のシングルチップまたはマルチチップのマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１０７６は、中央処理ユニット（ＣＰＵ）と呼ばれ得る。図１０のワイヤレス通信デバイス１００４中に単一のプロセッサ１０７６のみが示されているが、代替構成では、プロセッサの組合せ（たとえば、ＡＲＭとＤＳＰ）が使用され得る。
【００８２】
[0090]ワイヤレス通信デバイス１００４はメモリ１０７０も含む。メモリ１０７０は、電子情報を記憶することが可能な任意の電子部品であり得る。メモリ１０７０は、ランダムアクセスメモリ（ＲＡＭ）、読取り専用メモリ（ＲＯＭ）、磁気ディスク記憶媒体、光記憶媒体、ＲＡＭ内のフラッシュメモリデバイス、プロセッサに含まれるオンボードメモリ、ＥＰＲＯＭメモリ、ＥＥＰＲＯＭ（登録商標）メモリ、レジスタなどとして、それらの組合せを含めて、具現化され得る。
【００８３】
[0091]データ１０７２ａおよび命令１０７４ａは、メモリ１０７０に記憶され得る。命令１０７４ａは、本明細書で開示される方法を実施するためにプロセッサ１０７６によって実行可能である。命令１０７４ａを実行することは、メモリ１０７０に記憶されたデータ１０７２ａの使用を伴い得る。プロセッサ１０７６が命令１０７４を実行すると、命令１０７４ｂの様々な部分がプロセッサ１０７６上にロードされてよく、様々なデータ１０７２ｂがプロセッサ１０７６上にロードされてよい。
【００８４】
[0092]ワイヤレス通信デバイス１００４はまた、アンテナ１０８２を介したワイヤレス通信デバイス１００４での信号の送信と受信とを可能にするために、送信機１０７８と受信機１０８０とを含み得る。送信機１０７８と受信機１０８０は、送受信機１０８４と総称され得る。ワイヤレス通信デバイス１００４は、複数の送信機、複数のアンテナ、複数の受信機、および／または複数の送受信機（図示されず）も含み得る。
【００８５】
[0093]ワイヤレス通信デバイス１００４はデジタル信号プロセッサ（ＤＳＰ）１０８６を含み得る。ワイヤレス通信デバイス１００４は通信インターフェース１０８８も含み得る。通信インターフェース１０８８は、ユーザがワイヤレス通信デバイス１００４と対話することを可能にし得る。
【００８６】
[0094]ワイヤレス通信デバイス１００４の様々なコンポーネントは、電力バス、制御信号バス、ステータス信号バス、データバスなどを含む、１つまたは複数のバスによって互いに結合され得る。明確にするために、図１０では様々なバスはバスシステム１０９０として示される。
【００８７】
[0095]上の説明では、様々な用語とともに参照番号が時々使用された。用語が参照番号とともに使用されている場合、図の１つまたは複数に示された特定の要素を指すことが意図される。用語が参照番号を伴わずに使用されている場合、一般に、特定の図に限定されない用語を指すことが意図される。
【００８８】
[0096]本明細書で説明される技法は、ｇｌｏｂａｌ  ｓｙｓｔｅｍ  ｆｏｒ  ｍｏｂｉｌｅ  ｃｏｍｍｕｎｉｃａｔｉｏｎｓ（ＧＳＭ）を利用する通信システムを含む、様々な通信システムに使用され得る。ＧＳＭは、セルラー式のワイヤレス通信において普及している規格である。ＧＳＭは、標準的な音声サービスでは比較的効率的である。しかしながら、ハイファイのオーディオおよびデータサービスは、ＧＳＭが最適化されているデータスループットレートよりも高いデータスループットレートを必要とする。容量を向上させるために、ｇｅｎｅｒａｌ  ｐａｃｋｅｔ  ｒａｄｉｏ  ｓｅｒｖｉｃｅ（ＧＰＲＳ）、ｅｎｈａｎｃｅｄ  ｄａｔａ  ｒａｔｅｓ  ｆｏｒ  ＧＳＭ  ｅｖｏｌｕｔｉｏｎ（ＥＤＧＥ）およびｕｎｉｖｅｒｓａｌ  ｍｏｂｉｌｅ  ｔｅｌｅｃｏｍｍｕｎｉｃａｔｉｏｎｓ  ｓｙｓｔｅｍ（ＵＭＴＳ）規格がＧＳＭシステムに採用されている。ＧＳＭ／ＥＤＧＥ無線アクセスネットワーク（ＧＥＲＡＮ）規格では、ＧＰＲＳおよびＥＧＰＲＳがデータサービスを提供する。ＧＥＲＡＮの規格は３ＧＰＰ（登録商標）（第３世代パートナーシッププロジェクト）によって管理されている。ＧＥＲＡＮはＧＳＭの一部である。より具体的には、ＧＥＲＡＮは、基地局（ＡｔｅｒおよびＡｂｉｓインターフェース）と基地局コントローラ（Ａインターフェースなど）とを結合するネットワークであるとともにＧＳＭ／ＥＤＧＥの無線部分である。ＧＥＲＡＮはＧＳＭネットワークの中核部分を表す。ＧＥＲＡＮは、公衆交換電話網（ＰＴＳＮ）およびインターネットとリモート端末との間で、電話呼とパケットデータとをルーティングする。ＧＥＲＡＮはまた、複合ＵＭＴＳ／ＧＳＭネットワークの一部である。
【００８９】
[0097]ＧＳＭは、スペクトルリソースを共有する目的で、時分割多元接続（ＴＤＭＡ）と周波数分割多元接続（ＦＤＭＡ）との組合せを利用する。ＧＳＭネットワークは、一般に、いくつかの周波数帯域中で動作する。たとえば、アップリンク通信では、ＧＳＭ−９００は、通常、８９０〜９１５メガヘルツ（ＭＨｚ）帯域中の無線スペクトルを使用する（移動局から無線基地局装置）。ダウンリンク通信では、ＧＳＭ  ９００は９３５〜９６０ＭＨｚ帯域を使用する（基地局からワイヤレス通信デバイス）。さらに、各周波数帯域は２００ｋＨｚのキャリア周波数に分割され、２００ｋＨｚで離間された１２４個の高周波（ＲＦ）チャネルをもたらす。ＧＳＭ−１９００は、アップリンクでは１８５０〜１９１０ＭＨｚ帯域を使用し、ダウンリンクでは１９３０〜１９９０ＭＨｚ帯域を使用する。ＧＳＭ  ９００と同様に、ＦＤＭＡは、アップリンクとダウンリンクの両方のスペクトルを２００ｋＨｚ幅のキャリア周波数に分割する。同様に、ＧＳＭ−８５０は、アップリンクでは８２４〜８４９ＭＨｚ帯域を使用し、ダウンリンクでは８６９〜８９４ＭＨｚ帯域を使用し、一方ＧＳＭ−１８００は、アップリンクでは１７１０〜１７８５ＭＨｚ帯域を使用し、ダウンリンクでは１８０５〜１８８０ＭＨｚ帯域を使用する。
【００９０】
[0098]ＧＳＭにおける各チャネルは、特定の絶対無線周波数チャネル（ＡＲＦＣＮ）によって識別される。たとえば、ＡＲＦＣＮ  １〜１２４はＧＳＭ  ９００のチャネルに割り当てられ、ＡＲＦＣＮ  ５１２〜８１０はＧＳＭ  １９００のチャネルに割り当てられる。同様に、ＡＲＦＣＮ  １２８〜２５１はＧＳＭ  ８５０のチャネルに割り当てられ、ＡＲＦＣＮ  ５１２〜８８５はＧＳＭ  １８００のチャネルに割り当てられる。
【００９１】
[0099]さらに、各基地局は、１つまたは複数のキャリア周波数を割り当てられ得る。各キャリア周波数は、期間が４．６１５ミリ秒（ｍｓ）である１つのＴＤＭＡフレームを形成するように、ＴＤＭＡを使用して８つの連続するタイムスロットに分割される。物理チャネルは、ＴＤＭＡフレーム内の１つのタイムスロットを占有する。各々のアクティブなワイヤレス通信デバイスまたはユーザは、呼の期間の間、１つまたは複数のタイムスロットインデックスを割り当てられる。各ワイヤレス通信デバイスのユーザ固有のデータは、そのワイヤレス通信デバイスに割り当てられた（１つまたは複数の）タイムスロット中に、およびトラフィックチャネルのために使用されるＴＤＭＡフレーム中に送信される。
【００９２】
[00100]本明細書で説明された技法はまた、直交多重化方式に基づく通信システムを含む様々な通信システムに使用され得る。そのような通信システムの例は、直交周波数分割多元接続（ＯＦＤＭＡ）システム、シングルキャリア周波数分割多元接続（ＳＣ−ＦＤＭＡ）システムなどを含む。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンとも呼ばれ得る。ＯＦＤＭでは、各サブキャリアは独立してデータにより変調され得る。ＳＣ−ＦＤＭＡシステムは、システム帯域幅にわたって分散されたサブキャリア上で送信するためのｉｎｔｅｒｌｅａｖｅｄ  ＦＤＭＡ（ＩＦＤＭＡ）、隣接するサブキャリアのブロック上で送信するためのｌｏｃａｌｉｚｅｄ  ＦＤＭＡ（ＬＦＤＭＡ）、または隣接するサブキャリアの複数のブロック上で送信するためのｅｎｈａｎｃｅｄ  ＦＤＭＡ（ＥＦＤＭＡ）を利用し得る。一般に、変調シンボルは、ＯＦＤＭでは周波数領域で、ＳＣ−ＦＤＭＡでは時間領域で送信される。
【００９３】
[00101]「決定すること」という用語は、多種多様な動作を包含し、したがって、「決定すること」は、計算すること、算出すること、処理すること、導出すること、調査すること、探索すること（たとえば、テーブル、データベースまたは別のデータ構造において探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００９４】
[00102]「に基づいて」という句は、別段に明記されていない限り、「のみに基づいて」を意味しない。言い換えれば、「に基づいて」という句は、「のみに基づいて」と「に少なくとも基づいて」の両方を表す。
【００９５】
[00103]「プロセッサ」という用語は、汎用プロセッサ、中央演算処理装置（ＣＰＵ）、マイクロプロセッサ、デジタル信号プロセッサ（ＤＳＰ）、コントローラ、マイクロコントローラ、状態機械などを包含するものと広く解釈されるべきである。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指し得る。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成を指し得る。
【００９６】
[00104]「メモリ」という用語は、電子情報を記憶することが可能な任意の電子コンポーネントを包含するものと広く解釈されるべきである。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなどのような、様々なタイプのプロセッサ可読媒体を指し得る。プロセッサがメモリから情報を読み取り、および／またはメモリに情報を書き込むことができる場合、メモリはプロセッサと電子通信していると言われる。プロセッサに一体化されたメモリは、プロセッサと電子通信している。
【００９７】
[00105]「命令」および「コード」という用語は、任意のタイプのコンピュータ可読ステートメントを含むものと広く解釈されるべきである。たとえば、「命令」および「コード」という用語は、１つまたは複数のプログラム、ルーチン、サブルーチン、関数、プロシージャなどを指し得る。「命令」および「コード」は、単一のコンピュータ可読ステートメント、または、多数のコンピュータ可読ステートメントを備え得る。
【００９８】
[00106]本明細書で説明された機能は、ハードウェアによって実行されるソフトウェアまたはファームウェアで実装され得る。その機能は、コンピュータ可読媒体上の１つまたは複数の命令として記憶され得る。「コンピュータ可読媒体」または「コンピュータプログラム製品」という用語は、コンピュータまたはプロセッサによってアクセスされ得る、任意の実体を持った記憶媒体を指す。限定ではなく例として、コンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態で所望のプログラムコードを搬送または記憶するために使用されコンピュータによってアクセスされ得る、任意の他の媒体を備え得る。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。コンピュータ可読媒体は、実体を持ち、非一時的であり得ることに留意されたい。「コンピュータプログラム製品」という用語は、コンピューティングデバイスもしくはプロセッサによって実行、処理または計算され得る、コードまたは命令（たとえば、「プログラム」）と組み合わされた、コンピューティングデバイスまたはプロセッサを指す。本明細書で使用される場合、「コード」という用語は、コンピューティングデバイスまたはプロセッサによって実行可能であるソフトウェア、命令、コードまたはデータを指し得る。
【００９９】
[00107]ソフトウェアまたは命令はまた、伝送媒体を通じて送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１００】
[00108]本明細書で開示される方法は、説明された方法を達成するための１つまたは複数のステップまたは動作を備える。本方法のステップおよび／または動作は、特許請求の範囲から逸脱することなく互いに交換され得る。言い換えれば、説明されている方法の適切な動作のためにステップまたは動作の特定の順序が必要とされない限り、特定のステップおよび／または動作の順序および／または使用は、特許請求の範囲から逸脱することなく修正され得る。
【０１０１】
[00109]さらに、図２、図６、および図７によって例示されたもののような、本明細書で説明された方法と技術とを実行するためのモジュールおよび／もしくは他の適切な手段はダウンロードされることが可能であり、および／または、デバイスによって他の方法で取得されることが可能であることを理解されたい。たとえば、デバイスは、本明細書で説明される方法を実行するための手段の転送を容易にするために、サーバに結合され得る。代替的に、本明細書で説明された様々な方法は、記憶手段をデバイスに結合するかまたは提供するときにデバイスが様々な方法を取得できるように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）のような物理的記憶媒体など）を介して提供され得る。その上、本明細書で説明された方法と技法とをデバイスに与えるための任意の他の好適な技法が利用され得る。
【０１０２】
[00110]特許請求の範囲は、上で示された構成およびコンポーネントのままに限定されないことを理解されたい。特許請求の範囲から逸脱することなく、本明細書で説明されたシステム、方法、および装置の構成、動作および詳細において、様々な修正、変更および変形が行われ得る。
【図１】
2016533118.tif 000004
【図２】
2016533118.tif 000005
【図３】
2016533118.tif 000006
【図４】
2016533118.tif 000007
【図５】
2016533118.tif 000008
【図６】
2016533118.tif 000009
【図７】
2016533118.tif 000010
【図８】
2016533118.tif 000011
【図９】
2016533118.tif 000012
【図１０】
2016533118.tif 000013
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
ワイヤレス通信デバイスのためのシステム情報を取得するための方法であって、
セル再選択および音声呼を終了することのうち少なくとも１つの後、ページング再編成モードに入ることと、
無線周波数（ＲＦ）リソースを使用して第１のサブスクリプションによってシステム情報の一部分を獲得することと、
前記ワイヤレス通信デバイスのページングモードを変更することと、
前記システム情報の前記一部分を獲得した後、前記システム情報のすべてを獲得する前に、前記ＲＦリソースを解放することと
を備え、ここにおいて、前記ワイヤレス通信デバイスが複数のサブスクリプションを含み、ここにおいて、前記ＲＦリソースを解放することが、第２のサブスクリプションによって使用するために前記ＲＦリソースを解放することを備える、方法。
【請求項２】
前記第１のサブスクリプションが、前記ページング再編成モード中に前記ＲＦリソースを独占的に使用する、請求項１に記載の方法。
【請求項３】
前記第１のサブスクリプションが、前記ページング再編成モード中にすべてのページングブロックを読み取り、復号する、請求項１に記載の方法。
【請求項４】
前記ページング再編成モードが非間欠受信（ｎｏｎ−ＤＲＸ）モードである、請求項１に記載の方法。
【請求項５】
前記ＲＦリソースが、前記ワイヤレス通信デバイスにとって利用可能な単一のＲＦリソースである、請求項１に記載の方法。
【請求項６】
前記システム情報の一部分がシステム情報タイプ３（ＳＩ３）またはシステム情報タイプ４（ＳＩ４）を含む、請求項１に記載の方法。
【請求項７】
前記システム情報の一部分が、セル選択パラメータ、ランダムアクセスチャネル（ＲＡＣＨ）パラメータ、制御チャネルパラメータ、セル識別子、ロケーションエリア識別子、ページングブロック情報、およびセルブロック情報のうち少なくとも１つを含む、請求項１に記載の方法。
【請求項８】
前記ワイヤレス通信デバイスが属するページンググループを決定することをさらに備える、請求項１に記載の方法。
【請求項９】
前記ワイヤレス通信デバイスのページンググループと関連付けられたページングブロックを読み取り、復号することと、
前記ワイヤレス通信デバイスのページンググループと関連付けられていないページングブロックを読み取り、復号することを回避することと
をさらに備える、請求項８に記載の方法。
【請求項１０】
前記ページングモードを変更することが、
前記ワイヤレス通信デバイスと関連付けられたページングブロックを介してページングモード指示を受信することと、
前記ページングモード指示に基づいて前記ページングモードを変更することと
を備える、請求項１に記載の方法。
【請求項１１】
前記ページングモード指示が、即時割当てメッセージまたはページングメッセージのうち少なくとも１つを介して受信される、請求項１０に記載の方法。
【請求項１２】
前記ＲＦリソースが利用可能であるとき他のシステム情報を獲得することをさらに備える、請求項１に記載の方法。
【請求項１３】
前記システム情報が、ページングチャネル（ＰＣＨ）およびブロードキャスト制御チャネル（ＢＣＣＨ）のうち少なくとも１つから獲得される、請求項１に記載の方法。
【請求項１４】
ワイヤレス通信デバイスのためのシステム情報を取得するための装置であって、
プロセッサと、
前記プロセッサと電子通信しているメモリと、
前記メモリに記憶された命令とを備え、前記命令が、
セル再選択および音声呼を終了することのうち少なくとも１つの後、ページング再編成モードに入り、
無線周波数（ＲＦ）リソースを使用して第１のサブスクリプションによってシステム情報の一部分を獲得し、
前記ワイヤレス通信デバイスのページングモードを変更し、
前記システム情報の前記一部分を獲得した後、前記システム情報のすべてを獲得する前に、前記ＲＦリソースを解放する
ように前記プロセッサによって実行可能であり、ここにおいて、前記ワイヤレス通信デバイスが複数のサブスクリプションを含み、ここにおいて、前記ＲＦリソースを解放するように実行可能な前記命令が、第２のサブスクリプションによって使用するために前記ＲＦリソースを解放するように実行可能な命令を備える、装置。
【請求項１５】
前記第１のサブスクリプションが、前記ページング再編成モード中に前記ＲＦリソースを独占的に使用する、請求項１４に記載の装置。
【請求項１６】
前記命令が、前記ページング再編成モード中にすべてのページングブロックを読み取り、復号するように実行可能である、請求項１４に記載の装置。
【請求項１７】
前記ページング再編成モードが非間欠受信（ｎｏｎ−ＤＲＸ）モードである、請求項１４に記載の装置。
【請求項１８】
前記ＲＦリソースが、前記ワイヤレス通信デバイスにとって利用可能な単一のＲＦリソースである、請求項１４に記載の装置。
【請求項１９】
前記システム情報の一部分がシステム情報タイプ３（ＳＩ３）またはシステム情報タイプ４（ＳＩ４）を含む、請求項１４に記載の装置。
【請求項２０】
前記システム情報の一部分が、セル選択パラメータ、ランダムアクセスチャネル（ＲＡＣＨ）パラメータ、制御チャネルパラメータ、セル識別子、ロケーションエリア識別子、ページングブロック情報、およびセルブロック情報のうち少なくとも１つを含む、請求項１４に記載の装置。
【請求項２１】
前記ワイヤレス通信デバイスが属するページンググループを決定するように実行可能である命令をさらに備える、請求項１４に記載の装置。
【請求項２２】
前記ワイヤレス通信デバイスのページンググループと関連付けられたページングブロックを読み取り、復号し、
前記ワイヤレス通信デバイスのページンググループと関連付けられていないページングブロックを読み取り、復号することを回避する
ように実行可能である命令をさらに備える、請求項１４に記載の装置。
【請求項２３】
前記ページングモードを変更するように実行可能である前記命令が、
前記ワイヤレス通信デバイスと関連付けられたページングブロックを介してページングモード指示を受信し、
前記ページングモード指示に基づいて前記ページングモードを変更する
ように実行可能である命令を備える、請求項１４に記載の装置。
【請求項２４】
前記ページングモード指示が、即時割当てメッセージまたはページングメッセージのうち少なくとも１つを介して受信される、請求項２３に記載の装置。
【請求項２５】
前記ＲＦリソースが利用可能であるとき他のシステム情報を獲得するように実行可能である命令をさらに備える、請求項１４に記載の装置。
【請求項２６】
前記システム情報が、ページングチャネル（ＰＣＨ）およびブロードキャスト制御チャネル（ＢＣＣＨ）のうち少なくとも１つから獲得される、請求項１４に記載の装置。
【請求項２７】
命令を有する非一時的コンピュータ可読媒体を備える、ワイヤレス通信デバイスのためのシステム情報を取得するためのコンピュータプログラム製品であって、前記命令が、
第１のサブスクリプションに、セル再選択および音声呼を終了することのうち少なくとも１つの後、ページング再編成モードに入らせるためのコードと、
前記第１のサブスクリプションに、無線周波数（ＲＦ）リソースを使用して第１のサブスクリプションによってシステム情報の一部分を獲得させるためのコードと、
前記第１のサブスクリプションに、前記ワイヤレス通信デバイスのページングモードを変更させるためのコードと、
前記第１のサブスクリプションに、前記システム情報の前記一部分を獲得した後、前記システム情報のすべてを獲得する前に、前記ＲＦリソースを解放させるためのコードと
を備え、ここにおいて、前記ワイヤレス通信デバイスが複数のサブスクリプションを含み、ここにおいて、前記ＲＦリソースを解放することが、第２のサブスクリプションによって使用するために前記ＲＦリソースを解放することを備える、コンピュータプログラム製品。
【請求項２８】
前記第１のサブスクリプションが、前記ページング再編成モード中に前記ＲＦリソースを独占的に使用する、請求項２７に記載のコンピュータプログラム製品。
【請求項２９】
前記命令が、前記第１のサブスクリプションに、前記ページング再編成モード中にすべてのページングブロックを読み取らせ、復号させるためのコードをさらに備える、請求項２７に記載のコンピュータプログラム製品。
【請求項３０】
前記システム情報の一部分が、システム情報タイプ３（ＳＩ３）およびシステム情報タイプ４（ＳＩ４）のうち少なくとも１つを含む、請求項２７に記載のコンピュータプログラム製品。
【請求項３１】
前記第１のサブスクリプションに、前記ワイヤレス通信デバイスが属するページンググループを決定させるためのコードをさらに備える、請求項２７に記載のコンピュータプログラム製品。
【請求項３２】
前記第１のサブスクリプションに、前記ワイヤレス通信デバイスのページンググループと関連付けられたページングブロックを読み取らせ、復号させるためのコードと、
前記第１のサブスクリプションに、前記ワイヤレス通信デバイスのページンググループと関連付けられていないページングブロックを読み取り、復号することを回避させるためのコードと
をさらに備える、請求項３１に記載のコンピュータプログラム製品。
【請求項３３】
前記第１のサブスクリプションに、前記ページングモードを変更させるための前記コードが、
前記第１のサブスクリプションに、前記ワイヤレス通信デバイスと関連付けられたページングブロックを介してページングモード指示を受信させるためのコードと、
前記第１のサブスクリプションに、前記ページングモード指示に基づいて前記ページングモードを変更させるためのコードと
を備える、請求項２７に記載のコンピュータプログラム製品。
【請求項３４】
前記第１のサブスクリプションに、前記ＲＦリソースが利用可能であるとき他のシステム情報を獲得させるためのコードをさらに備える、請求項２７に記載のコンピュータプログラム製品。
【手続補正２】
【補正対象書類名】明細書
【補正対象項目名】０１０２
【補正方法】変更
【補正の内容】
【０１０２】
[00110]特許請求の範囲は、上で示された構成およびコンポーネントのままに限定されないことを理解されたい。特許請求の範囲から逸脱することなく、本明細書で説明されたシステム、方法、および装置の構成、動作および詳細において、様々な修正、変更および変形が行われ得る。
以下に、本願出願の当初の特許請求の範囲に記載された発明を付記する。
［Ｃ１］
ワイヤレス通信デバイスのためのシステム情報を取得するための方法であって、
セル再選択および音声呼を終了することのうち少なくとも１つの後、ページング再編成モードに入ることと、
無線周波数（ＲＦ）リソースを使用して第１のサブスクリプションによってシステム情報の一部分を獲得することと、
前記ワイヤレス通信デバイスのページングモードを変更することと、
前記システム情報の前記一部分を獲得した後、前記システム情報のすべてを獲得する前に、前記ＲＦリソースを解放することと
を備える方法。
［Ｃ２］
前記第１のサブスクリプションが、前記ページング再編成モード中に前記ＲＦリソースを独占的に使用する、Ｃ１に記載の方法。
［Ｃ３］
前記第１のサブスクリプションが、前記ページング再編成モード中にすべてのページングブロックを読み取り、復号する、Ｃ１に記載の方法。
［Ｃ４］
前記ページング再編成モードが非間欠受信（ｎｏｎ−ＤＲＸ）モードである、Ｃ１に記載の方法。
［Ｃ５］
前記ＲＦリソースが、前記ワイヤレス通信デバイスにとって利用可能な単一のＲＦリソースである、Ｃ１に記載の方法。
［Ｃ６］
前記システム情報の一部分がシステム情報タイプ３（ＳＩ３）またはシステム情報タイプ４（ＳＩ４）を含む、Ｃ１に記載の方法。
［Ｃ７］
前記システム情報の一部分が、セル選択パラメータ、ランダムアクセスチャネル（ＲＡＣＨ）パラメータ、制御チャネルパラメータ、セル識別子、ロケーションエリア識別子、ページングブロック情報、およびセルブロック情報のうち少なくとも１つを含む、Ｃ１に記載の方法。
［Ｃ８］
前記ワイヤレス通信デバイスが複数のサブスクリプションを含む、Ｃ１に記載の方法。
［Ｃ９］
前記ＲＦリソースを解放することが、第２のサブスクリプションによって使用するために前記ＲＦリソースを解放することを備える、Ｃ８に記載の方法。
［Ｃ１０］
前記ワイヤレス通信デバイスが属するページンググループを決定することをさらに備える、Ｃ１に記載の方法。
［Ｃ１１］
前記ワイヤレス通信デバイスのページンググループと関連付けられたページングブロックを読み取り、復号することと、
前記ワイヤレス通信デバイスのページンググループと関連付けられていないページングブロックを読み取り、復号することを回避することと
をさらに備える、Ｃ１０に記載の方法。
［Ｃ１２］
前記ページングモードを変更することが、
前記ワイヤレス通信デバイスと関連付けられたページングブロックを介してページングモード指示を受信することと、
前記ページングモード指示に基づいて前記ページングモードを変更することと
を備える、Ｃ１に記載の方法。
［Ｃ１３］
前記ページングモード指示が、即時割当てメッセージまたはページングメッセージのうち少なくとも１つを介して受信される、Ｃ１２に記載の方法。
［Ｃ１４］
前記ＲＦリソースが利用可能であるとき他のシステム情報を獲得することをさらに備える、Ｃ１に記載の方法。
［Ｃ１５］
前記システム情報が、ページングチャネル（ＰＣＨ）およびブロードキャスト制御チャネル（ＢＣＣＨ）のうち少なくとも１つから獲得される、Ｃ１に記載の方法。
［Ｃ１６］
ワイヤレス通信デバイスのためのシステム情報を取得するための装置であって、
プロセッサと、
前記プロセッサと電子通信しているメモリと、
前記メモリに記憶された命令とを備え、前記命令が、
セル再選択および音声呼を終了することのうち少なくとも１つの後、ページング再編成モードに入り、
無線周波数（ＲＦ）リソースを使用して第１のサブスクリプションによってシステム情報の一部分を獲得し、
前記ワイヤレス通信デバイスのページングモードを変更し、
前記システム情報の前記一部分を獲得した後、前記システム情報のすべてを獲得する前に、前記ＲＦリソースを解放する
ように前記プロセッサによって実行可能である、装置。
［Ｃ１７］
前記第１のサブスクリプションが、前記ページング再編成モード中に前記ＲＦリソースを独占的に使用する、Ｃ１６に記載の装置。
［Ｃ１８］
前記命令が、前記ページング再編成モード中にすべてのページングブロックを読み取り、復号するように実行可能である、Ｃ１６に記載の装置。
［Ｃ１９］
前記ページング再編成モードが非間欠受信（ｎｏｎ−ＤＲＸ）モードである、Ｃ１６に記載の装置。
［Ｃ２０］
前記ＲＦリソースが、前記ワイヤレス通信デバイスにとって利用可能な単一のＲＦリソースである、Ｃ１６に記載の装置。
［Ｃ２１］
前記システム情報の一部分がシステム情報タイプ３（ＳＩ３）またはシステム情報タイプ４（ＳＩ４）を含む、Ｃ１６に記載の装置。
［Ｃ２２］
前記システム情報の一部分が、セル選択パラメータ、ランダムアクセスチャネル（ＲＡＣＨ）パラメータ、制御チャネルパラメータ、セル識別子、ロケーションエリア識別子、ページングブロック情報、およびセルブロック情報のうち少なくとも１つを含む、Ｃ１６に記載の装置。
［Ｃ２３］
前記ワイヤレス通信デバイスが複数のサブスクリプションを含む、Ｃ１６に記載の装置。
［Ｃ２４］
前記ＲＦリソースを解放するように実行可能である前記命令が、第２のサブスクリプションによって使用するために前記ＲＦリソースを解放するように実行可能である命令を備える、Ｃ２３に記載の装置。
［Ｃ２５］
前記ワイヤレス通信デバイスが属するページンググループを決定するように実行可能である命令をさらに備える、Ｃ１６に記載の装置。
［Ｃ２６］
前記ワイヤレス通信デバイスのページンググループと関連付けられたページングブロックを読み取り、復号し、
前記ワイヤレス通信デバイスのページンググループと関連付けられていないページングブロックを読み取り、復号することを回避する
ように実行可能である命令をさらに備える、Ｃ１６に記載の装置。
［Ｃ２７］
前記ページングモードを変更するように実行可能である前記命令が、
前記ワイヤレス通信デバイスと関連付けられたページングブロックを介してページングモード指示を受信し、
前記ページングモード指示に基づいて前記ページングモードを変更する
ように実行可能である命令を備える、Ｃ１６に記載の装置。
［Ｃ２８］
前記ページングモード指示が、即時割当てメッセージまたはページングメッセージのうち少なくとも１つを介して受信される、Ｃ２７に記載の装置。
［Ｃ２９］
前記ＲＦリソースが利用可能であるとき他のシステム情報を獲得するように実行可能である命令をさらに備える、Ｃ１６に記載の装置。
［Ｃ３０］
前記システム情報が、ページングチャネル（ＰＣＨ）およびブロードキャスト制御チャネル（ＢＣＣＨ）のうち少なくとも１つから獲得される、Ｃ１６に記載の装置。
［Ｃ３１］
命令を有する非一時的コンピュータ可読媒体を備える、ワイヤレス通信デバイスのためのシステム情報を取得するためのコンピュータプログラム製品であって、前記命令が、
第１のサブスクリプションに、セル再選択および音声呼を終了することのうち少なくとも１つの後、ページング再編成モードに入らせるためのコードと、
前記第１のサブスクリプションに、無線周波数（ＲＦ）リソースを使用して第１のサブスクリプションによってシステム情報の一部分を獲得させるためのコードと、
前記第１のサブスクリプションに、前記ワイヤレス通信デバイスのページングモードを変更させるためのコードと、
前記第１のサブスクリプションに、前記システム情報の前記一部分を獲得した後、前記システム情報のすべてを獲得する前に、前記ＲＦリソースを解放させるためのコードと
を備える、コンピュータプログラム製品。
［Ｃ３２］
前記第１のサブスクリプションが、前記ページング再編成モード中に前記ＲＦリソースを独占的に使用する、Ｃ３１に記載のコンピュータプログラム製品。
［Ｃ３３］
前記命令が、前記第１のサブスクリプションに、前記ページング再編成モード中にすべてのページングブロックを読み取らせ、復号させるためのコードをさらに備える、Ｃ３１に記載のコンピュータプログラム製品。
［Ｃ３４］
前記システム情報の一部分が、システム情報タイプ３（ＳＩ３）およびシステム情報タイプ４（ＳＩ４）のうち少なくとも１つを含む、Ｃ３１に記載のコンピュータプログラム製品。
［Ｃ３５］
前記ワイヤレス通信デバイスが複数のサブスクリプションを含む、Ｃ３１に記載のコンピュータプログラム製品。
［Ｃ３６］
前記第１のサブスクリプションに、前記ワイヤレス通信デバイスが属するページンググループを決定させるためのコードをさらに備える、Ｃ３１に記載のコンピュータプログラム製品。
［Ｃ３７］
前記第１のサブスクリプションに、前記ワイヤレス通信デバイスのページンググループと関連付けられたページングブロックを読み取らせ、復号させるためのコードと、
前記第１のサブスクリプションに、前記ワイヤレス通信デバイスのページンググループと関連付けられていないページングブロックを読み取り、復号することを回避させるためのコードと
をさらに備える、Ｃ３６に記載のコンピュータプログラム製品。
［Ｃ３８］
前記第１のサブスクリプションに、前記ページングモードを変更させるための前記コードが、
前記第１のサブスクリプションに、前記ワイヤレス通信デバイスと関連付けられたページングブロックを介してページングモード指示を受信させるためのコードと、
前記第１のサブスクリプションに、前記ページングモード指示に基づいて前記ページングモードを変更させるためのコードと
を備える、Ｃ３１に記載のコンピュータプログラム製品。
［Ｃ３９］
前記第１のサブスクリプションに、前記ＲＦリソースが利用可能であるとき他のシステム情報を獲得させるためのコードをさらに備える、Ｃ３１に記載のコンピュータプログラム製品。
【国際調査報告】
2016533118.tif 000014
2016533118.tif 000015